Podtech/llm-jp-corpus-v4-ja_patent huggingface dataset:
(57)【要約】【課題】白色光でも微妙な違いがあり、白っぽい光、赤っぽい光というようにバリエーションがある。時間、場所そして場合によって最良の色がある。その色を数値化して簡単に再表現できるような照明装置とその制御システム。【解決手段】白色LED、青色LED、緑色LED、赤色LEDの組み合わせをチャート化して、チャート上のフィールドにある特定の光色を数値で指定して再表現できる照明装置。動植物の生態系の中で、時間、場所、場合によって微妙に異なる光の色を区別して最良の照明色を得ることができる制御システムを提供する。【選択図】図１
2010003704.tif 000002
【特許請求の範囲】
【請求項１】
白色LED、青色LED、緑色LED、赤色LEDを備え、前記各LEDの出力（0%〜100%）を組み合わせることで光色チャートが得られる。チャート上の指定光色を強調する場合には組み合わせではなく特色LEDをつくり、本質的な光色を得ることができる。光色をチャートという数値化されたフィールドの中で特定の光色を白色LED、青色LED、緑色LED、赤色LED、特色LEDの各出力数値（0%~100%）で指定できる。光色チャートはグラデーション方式、数値刻み方式で表現できる。
【請求項２】
請求項1によって得られるチャート上の白色光エリアの照明色を数値で指定し、かつ、再現できる照明装置。
【請求項３】
請求項2の照明装置をして、カレンダと経緯度（位置情報）で算出される日照時間に影響を受ける朝昼晩の時間経過の中で、その都度、人の肉体と精神の両面に受け入れやすい白色光エリアの照明色を選択し、提供することのできる制御システム。
【請求項４】
請求項2の照明装置をして、一個の空間で、リビング、キッチン、ダイニング、寝室等の異なる環境の中で、その環境ごとに、人の肉体と精神の両面に受け入れやすい白色光エリアの照明色を選択し、提供することのできる制御システム。
【請求項５】
物が使われる時の実際の光色データを予め検出し、そのデータを前記物の制作、製造工程現場に備えられる請求項2の照明装置に光色データを入力することで使用時の物の発色と制作、製造時の物の発色を一致させる制御システム。
【請求項６】
請求項2の照明装置で表現できる白色光エリアの中の代表的な照明色を複数セレクトして制御するシステム。例えば、朝から昼にかけての白色光、夕方の白色光、日没後の白色光のようにセレクトして制御する。
【発明の詳細な説明】
【技術分野】
【０００１】
本発明は、例えば、白色LED、青色LED、緑色LED、赤色LEDの各光源の出力（0%~100%）を組み合わせることで照明色チャートをつくりだすことができ、より本質的な照明色を表現したい時には特色LEDを組み合わせてつくりだすことができる。この照明色チャートを自動または手動で制御することによって成り立つ照明装置である。
【背景技術】
【０００２】
時と場所、場合にマッチした微妙な照明色の制御を一台の照明装置でおこなうことがなかった。本来の物の発色を生産時点で管理するシステムが確立されていない。インクは色の三原色＋黒色の4色で構成されその4色のパーセント数値で表現されるが、光色にはそれが確立されておらず、照明装置の照明色も白っぽい光とか赤っぽい光というように感覚的表現でされる。
【０００３】
この改善策として、白色LED、青色LED、赤色LED、特色LEDの光源を備えた照明装置の各光源の出力（0%~100%）を制御して時と場所、場合にマッチした白色光エリアの中の最適な照明色を提供する。また特色LEDを加えてよりシャープな表現が可能である。
【発明の開示】
【発明が解決しようとする課題】
【０００４】
カレンダとGPS機能によって得られる位置情報によって決まる日照時間に対応した白色光の中の人間に最も優しい照明色を発する照明装置。朝一番は蛍光灯（昼光色）、昼間は蛍光灯（白昼色）、陽が傾きかけた頃は蛍光灯（電球色）、夕食頃は白熱電球色、就寝頃は蝋燭の炎の色というようにこれらの照明色を表現する。
【０００５】
同じ空間でおこなわれる日常生活の活動、夕食、就寝時間に対応した白色光の中で人間に最も優しい照明色を発する照明装置。活動がメインの時間帯は蛍光灯（白昼色）、夕食の時間帯は白熱電球、就寝時間帯は蝋燭の炎というようにこれらの照明色を表現する。
【０００６】
多目的ホールでおこなわれるイベントの雰囲気に対応した照明色を発する照明装置。
【０００７】
実際に使用される時と場所、場合の物の発色を想定して製造される制作・製造現場の照明装置。
【０００８】
予め決められた一日のサイクルに対応した照明色を発する照明装置。
【０００９】
光色チャートを照明装置の照明色に応用し、照明色チャートのフィールドの中で白色LED、青色LED、緑色LED、赤色LEDの各光源の出力（0%~100%）を数値で指定する。
【課題を解決するための手段】
【００１０】
時簡、場所、場合において、白色LED、青色LED、赤色LED、特色LEDの出力（0%~100%）の組み合わせで得られる白色光チャートの中で最適な照明色を予め選定し、適宜に照明装置で提供する。
【発明の効果】
【００１１】
本来、人間が既に持っている心地の良い白色光の照明色と外部から受ける照明装置からの照明色が限りなくマッチングすることで活動時間帯はより快活に、夕食の時間帯は胃の働きを活発に、就寝の時簡帯は精神に安らぎを与えて安眠効果を増進させることができる。芸術作品の持つ本来の色を表現することのできる展覧会場や日常生活の中で使っている物の本来の発色を製造段階で再現することができる。つまり、白色光をチャートという数値化されたフィールドの中で照明色を白色LED、青色LED、緑色LED、赤色LED、特色LEDの出力をデジタル制御することで、人間が時間、場所、場合によって最適な照明色を得、物の本来の発色のデータがあれば、全く環境の違った場所においても制作、製造が可能である。
【発明を実施するための最良の形態】
【００１２】
通常の人間生活の中で使用される照明装置は白色LED、青色LED、緑LED、赤色LEDの４LEDを備え、時間、場所、場合を考慮した最適な照明色を照明色チャートの中でデジタル指定しまたそれをプログラムし自動、手動で制御する。
【実施例１】
【００１３】
図1は、家庭内の一日の時間経過とそれにともなう最適な照明色。
【産業上の利用可能性】
【００１４】
人間生活だけでなく、動植物の人工生育、物の製造等、人間がおこなう行為の中で人工照明は広く利用されているが、その現場で必ずしも最適な照明色が選択されていないのが現状であるが、照明色を数値で表示することで安易に対応できるようになる。
【図面の簡単な説明】
【００１５】
【図１】時間経過図 (実施例１）
【符号の説明】
【００１６】
1.    
蝋燭の炎の赤っぽい白色光
2.    
朝日の澄んだ赤っぽい白色光
3.    
透明な白色光
4.    
夕日の赤っぽい白色光
5.    
蝋燭の炎の赤っぽい白色光
【図１】
2010003704.tif 000003
(57)【要約】      （修正有）【課題】利用者が必要とする情報に対応するバーコードを選別するという、わずらわしい作業を行う必要をなくする。【解決手段】デジタル機器から情報を呼び出そうとする利用者００１自身が、デジタル機器に読み込ませる任意の情報を有するバーコード００３を、自身の有する携帯電話００２の画面上で生成する。デジタル機器００４はバーコード００３を読み取って、任意の情報を元にコマンドを実行し、デジタル機器内の適合情報００５を返す。【選択図】図１
2010003093.tif 000002
【特許請求の範囲】
【請求項１】
バーコード入力インターフェースを有するデジタル機器に対して、携帯電話のwebプログラム、あるいは、携帯電話上で作動するプログラムを用いて発生させた、任意の情報を有するバーコードを利用して、そのデジタル機器に任意のコマンドを実行させる仕組み。
【発明の詳細な説明】
【技術分野】
【０００１】
本発明は、バーコード化された任意の情報を読み取るデジタル機器に関する。
【背景技術】
【０００２】
バーコードの入力インターフェースを有するデジタル機器は従来生産、使用されている。しかしながら、デジタル機器が読み取るバーコードは、あらかじめデジタル機器内に有している情報に対応するものしかなく、新たに情報を追加するたびにバーコードを生成し用意しておく必要があり、またバーコードが有する情報は、単にデジタル機器内に保存されている情報を呼び出すためのキーワードしかなく、また読み取るデジタル機器側も、読み取ったバーコードから得たキーワードに対するデジタル機器内に有している情報を返すだけである。
【０００３】
しかし、これではデジタル機器内に有している情報の中から、どれが必要な情報なのかを、バーコードを読み取らせるデジタル機器利用者が、読み取らせようとするバーコードを選別せねばならず、そうするとバーコードのみでは利用者が選別することができないため、バーコード以外の情報も記載する必要があった。
【０００４】
この改善策として、今までデジタル機器に画面を設けるなどして視覚的に判断できるようにしているケースも存在する。しかし、このケースでも、あらかじめ用意されているバーコードから、利用者が必要なものを選別しなくてはならず、根本的な解決にはいたっていない。
【発明の開示】
【発明が解決しようとする課題】
【０００５】
解決しようとする問題点は、利用者が必要とする情報をデジタル機器から呼び出す際に、あらかじめ用意されているバーコードから、利用者が必要とする情報に対するバーコードを選別せねばならず、多大な負荷がかかるという点である。
【０００６】
本発明は、デジタル機器に読み込ませるバーコードを、デジタル機器から情報を呼び出そうとする利用者自身が、利用する際に自身の有する携帯電話の画面上で、任意の情報を有するバーコードを生成し、当該バーコードを読み取ったデジタル機器が任意の情報からコマンドを実行することが出来るようにすることである。
【課題を解決するための手段】
【０００７】
上述の目的を達成する本発明のバーコード入力インターフェース活用システムは、利用者自身が所有している携帯電話上に、任意の情報を入力することによって生成されたバーコードを、デジタル機器が読み取り、バーコード内の情報を元にコマンドを実行させることによりデジタル機器内の情報を返すことを特徴とする。
【発明の効果】
【０００８】
デジタル機器を利用しようとする利用者自身が、利用者の有する携帯電話上で、利用者が必要な情報のみを有するバーコードを生成し、当該バーコードをデジタル機器に読み込ませ、バーコードの情報を元にデジタル機器がコマンドを実行することにより、利用者は読み込ませるバーコードを選別するというわずらわしい作業を行う必要がなくなる。また、デジタル機器に情報を登録しておく側は、デジタル機器内に登録しておく情報に対応するバーコードを生成する必要がなくなる。
【０００９】
デジタル機器は、読み取った任意の情報を元にコマンドを実行し、それに対する情報を返すだけでよいので、必ずしもデジタル機器内に情報を有しておく必要性がなくなり、外部データベースと連動させることにより、情報の改廃が容易となり、情報の最新性を保つことが可能となる。
【発明を実施するための最良の形態】
【００１０】
以下に、本発明の実施形態を説明する。
【実施例１】
【００１１】
以下に実施例を挙げるが、本発明はこれらの例により何ら限定されるものではない。
【００１２】
本実施形態では、図１にバーコード入力インターフェース活用システムを示す。
図２に図１に示されている個体情報データベース001内の個体情報データ構造を詳しく示す。図３に図１に示されている料理レシピデータベース002を詳しく示す。図4に図1に示されている料理レシピデータベース002の図3と別の形態を詳しく示す。
【００１３】
図1を参照しながら、本発明の動作概念を説明する。まず、利用者001が、携帯電話002を使用して任意の情報を入力し、バーコード003を生成する。
【００１４】
次に、利用者001が、デジタル機器004に、生成したバーコード003を読み取らせる。
【００１５】
デジタル機器004は、読み取ったバーコード003が有する情報を元にコマンドを実行し、適合情報005を返す。
【図面の簡単な説明】
【００１６】
【図１】バーコード入力インターフェースを有するデジタル機器を、携帯電話上で任意の情報を入力し生成したバーコードを読み取らせるシステムを示した説明図である。
【符号の説明】
【００１７】
001    利用者
002    携帯電話
003    バーコード
004    デジタル機器
005    適合情報
【図１】
2010003093.tif 000003
(57)【要約】      （修正有）【課題】ＡＳＰ方式によるソフトウェアの貸し出しにおける利用権利の有効化において、ライセンスを有効化した時点で課金できるシステムを提供する。【解決手段】暫定アカウントを発行し利用権情報の実在を確認した後、実在の確認された利用権情報をユーザデータベースに移行し、利用権が有効化された時点において、有効化された利用権数を課金データベースにおいて集計する手段を備える。【選択図】図１
2010003275.tif 000002
【特許請求の範囲】
【請求項１】
ＡＳＰ方式によるソフトウェアの貸し出しにおける利用権利の有効化において、単数または複数のサーバコンピュータを備えたサーバシステムがネットワークを介してクライアントシステム内の端末からソフトウェア使用要求を取得する使用要求取得手段と、このソフトウェア使用要求を取得する使用要求取得手段により使用要求を取得した後当該ユーザを認証する認証手段と、この認証手段がユーザを認証した後ユーザに使用許諾を与える使用許諾手段と、この使用許諾手段により取得したライセンス有効化数から、課金対象ライセンスを算出する使用料金算出手段を備えていることを特徴とするシステム。
【発明の詳細な説明】
【技術分野】
【０００１】本発明は、ＡＳＰ（アプリケーションサービスプロバイダー）方式によるソフトウェアの貸し出しにおけるライセンス（または利用権利）の有効化システムに関する。
【背景技術】
【０００２】これまでユーザがハードウェア用アプリケーションプログラムを利用する際には、フロッピーディスクやＣＤＲＯＭ等の記録媒体に記録されたプログラム商品を購入し、それを自身のハードウェアにインストールすることでプログラムの有効化を行ってきた。【０００３】ところが、近年、インターネットの普及また通信ネットワークの高速大容量化により、ユーザのコンピュータープログラムの購入および利用方法が変化してきている。【０００４】この最たるものがＡＳＰ（アプリケーションサービスプロバイダー）方式による、ソフトウェアの貸し出しであろう。【０００５】ＡＳＰ方式によるソフトウェアの貸し出しにおいては、ソフトウェアの使用を希望するユーザが当該ソフトウェアの利用権を購入し、購入したライセンスの有効期限の間において、当該ソフトウェアを利用できる形式がとられているケースが多い。【０００６】このＡＳＰ方式によるソフトウェアの貸し出しは、個人のみならず法人においても一般的な方式となりつつある。【０００７】たとえば、グループウェアと呼ばれるスケジュール管理機能を有するソフト等、一定規模以上の企業法人に属する従業員の多くが必要とするソフトウェア等がこれに該当する。【０００８】以上は一例であって、ＡＳＰ方式によるソフトウェアの貸し出しは、あらゆる分野でのソフトウェアにおいても見られ、企業等の法人におけるソフトウェアの利用方法として一般化しつつある。【０００９】このＡＳＰ方式によるソフトウェアの貸し出しにおいては、あらかじめユーザが利用すると想定したライセンスを購入することにより、一定の契約期間におけるソフトウェアの利用が可能となっている。【００１０】そのため、企業等の法人が従業員用のライセンスを購入する際等には、実際に貸し出されたソフトウェアのライセンスが有効化されるか否かに関わらず、事前に利用が見込まれるライセンス数を購入する必要があった。また、購入したライセンスのうち有効化されなかったものについても、料金が返還されることはなかった。【００１１】また従来のＡＳＰ方式によるソフトウェアの貸し出しにおける利用権の有効化は、契約者が契約したライセンス数のみが可能なものであり、増加した必要数分をその都度購入しなければならなかった。
【発明の開示】
【発明が解決しようとする課題】
【００１２】本発明は、ＡＳＰ方式によるソフトウェアの貸し出しにおける利用権利の有効化において、ライセンスを有効化した時点で課金できるシステムを提案することを目的としている。
【課題を解決するための手段】
【００１３】本発明は、上記目標を達成するために、ＡＳＰ方式によるソフトウェアの貸し出しにおける利用権利の有効化において、単数または複数のサーバコンピュータを備えたサーバシステムがネットワークを介してクライアントシステム内の端末からソフトウェア使用要求を取得する使用要求取得手段と、このソフトウェア使用要求を取得する使用要求取得手段により使用要求を取得した後当該ユーザを認証する認証手段と、この認証手段がユーザを認証した後ユーザに使用許諾を与える使用許諾手段と、この使用許諾手段により取得したライセンス有効化数から、課金対象ライセンスを算出する使用料金算出手段を備えていることを特徴とする。
【発明を実施するための最良の形態】
【００１４】本発明について、図１を参照して詳細に説明する。図１は本発明の構成を示した図である。【００１５】プログラムの利用権はユーザＩＤおよびパスワードの対からなり、クライアントが必要とするユーザ数に加え予備用をあらかじめ配布する。ユーザクライアントはあらかじめ配布された利用権を用いて、使用許諾を取得する。【００１６】単数または複数のサーバコンピュータを備えたサーバシステムは、ユーザクライアントからの使用許諾取得のための認証プロセスにおいて、事前配布していた利用権が格納されている暫定アカウントデータベースにアクセスし、実在確認を行う。【００１７】暫定アカウントデータベースにより実在が確認された利用権は、ユーザデータベースに移行され、当該プログラムの利用権が有効化される。【００１８】配布された利用権の中で、ユーザデータベースに移行され有効化された利用権数が、課金データベースにおいて集計され、課金対象の利用権となる。【００１９】ユーザデータベースに移行され有効化された利用権数であり課金対象となった利用権数は、管理者クライアントが確認できる仕組みとなっている。
【発明の効果】
【００２０】本発明によれば、ＡＳＰ方式によるソフトウェアの貸し出しにあたって、有効化された利用権のみを課金対象とすることができる。
【００２１】そのため、購入した利用権が有効化されずとも課金されていた従来のシステムとは異なり、利用権管理に費やす労力や費用を削減することができる。
【図面の簡単な説明】
【００２２】
【図１】本発明に係るソフトウェア貸し出しシステムの構成例を示した図である。
【図１】
2010003275.tif 000003
(57)【要約】【課題】従来のシステムでは、検査データはプリントアウトされた紙媒体やフィルムの形で保存および管理されており、インフォームドコンセントの際に、検査データに直接文字や記号、図画等を書き込むことができなかった。【解決手段】本実施形態に係る診療支援システムは、医療機関において医師がインフォームドコンセントを行うのを支援する診療支援システムにおいて、ディスプレイと、各種検査機器から生成される静止画データ、動画データ、数値データ及び音声データ等の検査データを保存しておく記憶手段と、前記記憶手段に保存されている複数の検査データから必要な検査データを選択的に前記ディスプレイ上に表示するように制御する制御手段と、を備えることを特徴とする。【選択図】なし【特許請求の範囲】
【請求項１】
医療機関において医師がインフォームドコンセントを行うのを支援する診療支援システムにおいて、
ディスプレイと、
各種検査機器から生成される静止画データ、動画データ、数値データ及び音声データ等の検査データを保存しておく記憶手段と、
前記記憶手段に保存されている複数の検査データから必要な検査データを選択的に前記ディスプレイ上に表示するように制御する制御手段と、
を備えることを特徴とする診療支援システム。
【請求項２】
前記ディスプレイはペンタブレット式ディスプレイであり、
前記記憶手段には、さらに前記ペンタブレット式ディスプレイから入力された手書きの加筆データが保存されており、
前記制御手段は、前記検査データと前記加筆データをディスプレイ上に重畳表示するように制御することを特徴とする請求項１記載の診療支援システム。
【発明の詳細な説明】
【技術分野】
【０００１】  本発明は、医療機関において、医師による診療を支援するための診療支援システムに関し、特に、医師が患者に傷病状態ならびに診療の方針または方法の説明（以下、「インフォームドコンセント」という。）を行うインフォームドコンセントを支援するのに適した診療支援システムに関する。
【背景技術】
【０００２】  インフォームドコンセントを行う場合には検査データ上の説明すべき箇所を指し示しながら説明を行い、その際に文字や記号、図画等を用いて説明する必要が生じたときは、別途、カルテのシェーマ（疾患部位を簡略化した模式図）等や紙に手描きするスケッチを使用して患者に対する説明を行っていた。
【発明の開示】
【発明が解決しようとする課題】
【０００３】  従来の技術によってなされる方法では、検査データはプリントアウトされた紙媒体やフィルムの形で保存および管理されており、インフォームドコンセントの際に、検査データに直接文字や記号、図画等を書き込むことができなかった。【０００４】  検査データを指し示しながらの説明では説明の内容を詳細に記録に残していくことができない。またシェーマ等を用いた説明では、書き込みながらの説明はできるものの具体性をもって患者の視覚に訴える説明が困難であり、患者は複数のデータや資料を別個に見ながらインフォームドコンセントを受けることになるため、説明内容を直感的にかつ十分に理解するうえでの妨げとなることが多い。さらに、医師はインフォームドコンセントを行いながらまたは行った後に、診療記事の記載を行うため、内容を十分に記録できなかったり、患者に対して行った説明と違う内容の所見を記入したりする可能性を否定できない。
【課題を解決するための手段】
【０００５】  上記課題を解決するために、本発明に係る診療支援システムは、医療機関において医師がインフォームドコンセントを行うのを支援する診療支援システムにおいて、ディスプレイと、各種検査機器から生成される静止画データ、動画データ、数値データ及び音声データ等の検査データを保存しておく記憶手段と、前記記憶手段に保存されている複数の検査データから必要な検査データを選択的に前記ディスプレイ上に表示するように制御する制御手段と、を備えることを特徴とする。
【発明の効果】
【０００６】  本発明によれば、インフォームドコンセントの際には、患者はペンタブレット式ディスプレイに表示された検査データ上に直接手書き（手描き）で記入される情報を見ながら説明を聞くことになり、また、医師が重要度に応じて加筆データの文字や記号、図画等の大きさや太さ、色などを使い分けることが可能なため、患者の理解度が飛躍的に向上する。（検査データに書き込みがなされて作成されたデータを「二次データ」といい、二次データを作成するために書き込まれるデータを「加筆データ」という。）さらに、二次データが日付および時刻データを付して保存されるため、医師がいつどのような説明を患者に行い、どのような所見を付したかが正確にかつリアルタイムで記録される。また、加筆データを別レイヤーで保存することで、検査データや説明の履歴を、真正性をもって保存することができる。【０００７】  また、加筆データを別レイヤーで個々にオブジェクト管理保存し、真正性をもって保存管理することで、安全な診療を行うことの十分な情報を残すことが可能となり、また医療訴訟が起こったときに一般的にその解明にかなりの時間と労力を要する医療事故の原因解明を迅速かつ正確に行う機能を備えることを特徴とする。
【発明を実施するための最良の形態】
【０００８】  検査機器から検査データを取得してデジタル化し、患者別に保存および管理する。インフォームドコンセントを行う際は、検査データをＰＣのペンタブレット式ディスプレイ等のタッチパネル式ディスプレイに表示し、マウスやスタイラスペンを用いて、従来であれば検査データ上で指し示すのみかシェーマ等に書き込まれていた内容を直接タッチパネル式ディスプレイ上に線や点、文字のオブジェクトとして表示する。インフォームドコンセントを通じて保存の必要が生じた二次データは、クライアントＰＣを経由して日付および時刻データを付して随時サーバに保存する。【０００９】  なお、加筆データは別レイヤーで保存しておき、必要に応じて加筆データの表示または非表示の切り替えを行う。加筆データを別レイヤーで個々にオブジェクト管理保存し、真正性をもって保存管理することで、安全な診療を行うことの十分な情報を残すことが可能となり、また医療訴訟が起こったときに一般的にその解明にかなりの時間と労力を要する医療事故の原因解明を迅速かつ正確に行うことができる。
(57)【要約】【課題】従来知られているチューブ状、リング状、若しくは付け爪状のスタイラスにあっては、スタイラス先端部財と指の皮膚の間にチューブ等の部材が介在するため、指タッチパネル式の機器を操作する際、スタイラス先端の接触感が得られにくく、その結果、タッチ面が浮いて入力ミスを引き起こしたり、または過剰に押圧してパネル面を損傷するという問題点があった。【解決手段】本発明は、前部に嵌合孔を備え、後部に指挿入口を備えた中空のキャップ部と、該キャップ部の前記嵌合孔に嵌着した先端部とで構成し、前記キャップ部は柔軟性のある部材で形成するとともに前記先端部は硬質の部材で形成し、前記先端部の前記キャップ部への嵌着側端面は前記キャップ部の内面に突出した構成とした。【選択図】図１
2010003279.tif 000002
【特許請求の範囲】
【請求項１】
前部に嵌合孔を備え、後部に指挿入口を備えた中空のキャップ部と、該キャップ部の前記嵌合孔に嵌着した先端部とから構成され、前記キャップ部は柔軟性のある部材で形成するとともに前記先端部は硬質の部材で形成し、前記先端部の前記キャップ部への嵌着側内端面は前記キャップ部の内面に突出していることを特徴とするスタイラス。
【請求項２】
前記キャップ部の内面に突条を形成したことを特徴とする請求項１に記載のスタイラス。
【発明の詳細な説明】
【技術分野】
【０００１】  本発明は、タッチパネル式の機器を操作する際に用いるスタイラスに関する。
【背景技術】
【０００２】  従来、タッチパネル式の機器を操作する際に用いられるキャップ形式のスタイラスとして、チューブ状のもの、リング状のもの、若しくは付け爪状のもの等、種々の形態のものが知られている（例えば、特許文献１、２参照。）。
【特許文献１】特開平１−１０２６２０号公報
【特許文献２】特開２００２−７３２６６号公報
【発明の開示】
【発明が解決しようとする課題】
【０００３】  従来知られている上記したチューブ状、リング状、若しくは付け爪状のスタイラスにあっては、スタイラス先端部材と指の皮膚の間にチューブ等の部材が介在するため、指タッチパネル式の機器を操作する際、スタイラス先端の接触感が得られにくく、その結果、タッチ面が浮いて入力ミスを引き起こしたり、または過剰に押圧してパネル面を損傷するという問題点があった。
【課題を解決するための手段】
【０００４】  本発明は、上記の課題を解決するために、前部に嵌合孔を備え、後部に指挿入口を備えた中空のキャップ部と、該キャップ部の前記嵌合孔に嵌着した先端部とで構成し、前記キャップ部は柔軟性のある部材で形成するとともに前記先端部は硬質の部材で形成し、前記先端部の前記キャップ部への嵌着側内端面は前記キャップ部の内面に突出させたことを特徴とする。
【発明の効果】
【０００５】  本発明によれば、前記先端部の前記キャップ部への嵌着側端面を前記キャップ部の内面に突出させたことにより、その突出端面が指の皮膚面に接触するのでスタイラス先端の接触感が得られ、指タッチパネル式の機器を操作する際タッチ面が浮いて入力ミスを引き起こすこと、及び過剰に押圧してパネル面を損傷するということを防止できる。【０００６】  また、前記キャップ部の内面に突条を形成することにより、該突条が抜け止めの作用をなしてスタイラスが容易に指から脱落することがない。
【発明を実施するための最良の形態】
【０００７】  以下に本発明のスタイラスを実施例図面に基づいて説明する。
【実施例１】
【０００８】  本発明の実施例を図１、図２、図３に示す。本発明のスタイラス１はキャップ部２と先端部３の二つの部材で構成されている。前記キャップ部２は、指に嵌めた時に指にフィットし易いように柔軟性の部材、例えば塩化ビニール、ポリウレタン、シリコン等の樹脂で形成している。機器のパネルに接触する前記先端部３は、すべりがよくかつ摩耗しにくい硬質の部材、例えばポリアセタール、ポリプロプレン、ポリエチレン等の樹脂で形成している。【０００９】  キャップ部２の後端開口４は図１に示すように傾斜している。これは、操作時に指の関節の動きを阻害しないようにするためである（図３参照。）。そしてキャップ部２の後端開口４の内面には突状５が形成されている。この突状５により、スタイラス１を指に嵌めたときに皮膚の引っ掛かりとなってスタイラス１の脱落が防止される。【００１０】  先端部３の外周には溝６が形成され、該溝６をキャップ部２の先端開口７に嵌めて先端部３をキャップ部２に取り付けている。本実施例では先端部３の溝６を先端開口７に嵌合することで両者を固定しているが、この方法に限ることなく、例えば接着によって両者を固定してもよい。先端部３の内端面８はキャップ部２の内面に突出しており、スタイラス１を指に嵌めたときに内端面８に指の皮膚面が接触し、機器のパネル操作時に指の接触感を増大させるように構成している。
【図面の簡単な説明】
【００１１】
【図１】本発明の一実施例を示す正面図である。
【図２】本発明の一実施例を示す右側面図である。
【図３】本発明の一実施例を示す操作者の指に嵌めた状態の断面図である。
【符号の説明】
【００１２】    １    スタイラス
２    キャップ部
３    先端部
４    後端開口
５    突状
６    溝
７    先端開口
８    内端面
【図１】
2010003279.tif 000003
【図２】
2010003279.tif 000004
【図３】
2010003279.tif 000005
(57)【要約】【課題】ローマ字入力を覚えなくても、簡単に、なおかつ能率的に、日本語入力できるキーボード、パソコンを提供する。【解決手段】図面１に記載されている『ひらがな文字』のとおりである。上より一段目に『あ行』、『か行』、『や』、『ゆ』、『よ』の文字を配列し、二段目左に『さ行』、続いて一字切除キー『  』、同文字入力キー『  』、続いて『た行』を配列している。三段目に『な行』、『は行』、『わ』、『を、−』の文字を、四段目は『ま行』、『ら行』、『ん』を配置している。このため文字の位置が左から右へ、上の段から下の段へ並べられているので初心者でも分かりやすい。一字切除キー１『  』は間違えて入力しても、中央に配置することで修正しやすくした。同文字入力キー２『  』は携帯電話型の文字入力の場合、同じボタンに含まれる文字を続けて表示する場合に使用する【選択図】図１
2010003278.tif 000002
【特許請求の範囲】
【請求項１】
パソコンやキーボード、その他の日本語入力装置において、ひらがなの入力位置の大半を、図１のように配列をした入力装置、またはこれに近い特徴を備えたパソコンやキーボードなど日本語入力装置。
【発明の詳細な説明】
【技術分野】
【０００１】本発明はパソコンなど文字入力に不慣れな初心者向けの日本語入力装置に関するものである。
【背景技術】
【０００２】従来のひらがな入力では、文字の配列が『おいうえお』順でなく、初心者にとっては文字を探すのに苦労した。
【発明の開示】
【発明が解決しようとする課題】
【０００３】本発明はローマ字入力を覚えなくても、簡単に、なおかつ能率的に、日本語入力ができるよう解決しようとするものである。
【課題を解決するための手段】
【０００４】本発明は従来のキーボードを使用しながら、大半を『あいうえお』順に横一列に配列したものである。『あいうえお』順のために、文字の位置が簡単に予測でき入力しやすい。間違えて入力しても、中央に一字切除キーがあるので修正しやすい。
【発明の効果】
【０００５】大半を『あいうえお』順に配列に配列することで、文字の位置を探しやすい。また間違えて入力しても、中央に一字切除キーがあるので修正しやすい。また携帯電話に準じた入力方式が可能なので、若い人も簡単にパソコンへ移行できる。
また、ローマ字入力は従来どおり使用できるので、初心者、ベテラン両方が使用可能なパソコン、文字入力装置である。
【実施例１】
【０００７】形状はまったく従来のパソコン、キーボードなど文字入力装置と同じにする。図面１を見れば分かるとおり、ひらがなの位置をほぼ、『あいうえお』順に配置し、順番どおりでないのは『や』『や』『よ』『わ』『を』『―』のみである。
上より一段目に『あ行』、『か行』、『や』、『ゆ』、『よ』の文字を配列し、
二段目左に『さ行』、続いて一字切除キー、同文字入力キー、次に『た行』を配列する。
三段目に『な行』、『は行』、『わ』、『を、−』の文字を、
四段目は『ま行』、『ら行』、『ん』を配置する。
【図面の簡単な説明】
【０００８】図面１に記載されている『ひらがな文字』のとおりである。上より一段目に『あ行』、『か行』、『や』、『ゆ』、『よ』の文字を配列し、
二段目左に『さ行』、続いて一字切除キー『  』、同文字入力キー『  』、右に『た行』を配列している。
三段目に『な行』、『は行』、『わ』、『を、−』の文字を、
四段目は『ま行』、『ら行』、『ん』を配置している。
【符号の説明】
【０００９】１  一字切除キー  間違えて入力した場合、中央の『  』（一字切除キー）を押すことにより、修正しやすい構造である。
２  同文字入力キー  携帯電話型の文字入力の場合、同じボタンに含まれる文字や記号を続けて表示する場合に使用する。『母は』の場合、『は』、『  』、『は』と押す。
【図１】
2010003278.tif 000003
(57)【要約】【課題】  従来の製品では、両端にＬＡＮ用モジュラープラグＲＪ４５を取り付けたＬＡＮケーブルを延長する際に、両端にＬＡＮ用モジュラープラグＲＪ４５の挿入口を持つ中継アダプタを用い、２本の両端にＬＡＮ用モジュラープラグＲＪ４５を取り付けたＬＡＮケーブルを接続する必要があった。ＬＡＮ用モジュラージャック部分を金属製家具等金属製品に固定する際には、両面粘着剤付きテープ等を必要とした。【解決手段】  ＬＡＮケーブルの片端にＬＡＮ用モジュラープラグＲＪ４５を取り付け、もう一端には金属製家具等金属製品に取り付けるための磁石を封入した箱状のＬＡＮ用モジュラージャックを取り付け、その一端に他のＬＡＮ用モジュラープラグＲＪ４５を取り付けたＬＡＮケーブルが接続できる挿入口を設けた。【選択図】図１
2010003659.tif 000002
【特許請求の範囲】
【請求項１】
ＬＡＮケーブル（２）の片端にＬＡＮ用モジュラープラグＲＪ４５（６）を収り付け、もう一端には箱状のＬＡＮ用モジュラージャック（１）を、ＬＡＮ用モジュラープラグＲＪ４５（６）を差し込む挿入口（３）が終端にくるようにして取り付けたことを特長とするＬＡＮケーブルを延長するための延長ＬＡＮケーブル。
【請求項２】
上記ＬＡＮ用モジュラージャック（１）内に磁石（４）を封入したことを特長とする、請求項１記載の延長ＬＡＮケーブル。
【発明の詳細な説明】
【技術分野】
【０００１】  この発明は、延長ＬＡＮケーブルに関する。さらに詳しくは両端にＬＡＮ用モジュラープラグＲＪ４５を取り付けたＬＡＮケーブルを延長するために用いる延長ＬＡＮケーブルに関するものである。
【背景技術】
【０００２】  両端にＬＡＮ用モジュラープラグＲＪ４５を取り付けたＬＡＮケーブルを延長する場合、ＬＡＮ用モジュラープラグＲＪ４５を挿入・接続するため、両端に挿入口を備えた中継アダプタと、延長するための両端にＬＡＮ用モジュラープラグＲＪ４５を取り付けたＬＡＮケーブルを必要とした。【０００３】  金属製家具等金属製品に固定する場合には、両面粘着剤付きテープ等を使用する必要があった。
【発明の開示】
【発明が解決しようとする課題】
【０００４】  ＬＡＮケーブルの両端にＬＡＮ用モジュラープラグＲＪ４５を取り付けたＬＡＮケーブルを延長する際に、両端にＬＡＮ用モジュラープラグＲＪ４５を挿入・接続するため、両端に挿入口を備えた中継アダプタを用い延長する必要があった。【０００５】  事務所や家庭内でネットワーク機器やパーソナルコンピュータを移設する際には、従来使用していた両端にＬＡＮ用モジュラープラグＲＪ４５を取り付けたＬＡＮケーブルでは長さが不足することがあり、新たに両端にＬＡＮ用モジュラープラグＲＪ４５を取り付けたＬＡＮケーブルとＬＡＮ用モジュラープラグＲＪ４５を挿入・接続するため、両端に挿入口を備えた中継アダプタを必要とした。【０００６】  そこで、この発明は新たに両端にＬＡＮ用モジュラープラグＲＪ４５を取り付けたＬＡＮケーブルと、両端にＬＡＮ用モジュラープラグＲＪ４５の挿入口を持った中継アダプタを必要とせず、従来使用していた両端にＬＡＮ用モジュラープラグＲＪ４５を取り付けたＬＡＮケーブルを直接挿入し延長することを可能にした。【０００７】  また両端にＬＡＮ用モジュラープラグＲＪ４５の挿入口を持った中継アダプタは、固定できなかったが、金属製家具等金属製品に固定できるよう磁石を封入した。
【課題を解決するための手段】
【０００８】  請求項１記載の延長ＬＡＮケーブルは、ＬＡＮケーブル（２）の片端にＬＡＮ用モジュラープラグＲＪ４５（６）を取り付け、もう一端には箱状のＬＡＮ用モジュラージャック（１）を、ＬＡＮ用モジュラープラグＲＪ４５（６）を差し込む挿入口（３）が終端にくるようにして取り付けたことを特長とするＬＡＮケーブルを延長するための延長ＬＡＮケーブル。【０００９】  請求項２記載の延長ＬＡＮケーブルは、箱状のＬＡＮ用モジュラージャック（１）内部に、磁石（４）を封入したことを特長とする、請求項１記載の延長ＬＡＮケーブル。
【発明の効果】
【００１０】  本発明は、以上説明した構成であり、その終端に従来のＬＡＮケーブルを取り付け、ＬＡＮケーブルが接続、延長できるようにした。【００１１】  箱状のＬＡＮ用モジュラージャックに磁石が封入されているので、金属製家具等金属製品に取り付けできる。
【発明を実施するための最良の形態】
【実施例】
【００１２】  以下本発明の実施例を図１を用いて説明する。図１において箱状のＬＡＮ用モジュラージャック（１）の片端にＬＡＮ用モジュラープラグＲＪ４５付ケーブル（２）を取り付け、箱状のＬＡＮ用モジュラージャック（１）のもう一端に、ＬＡＮ用モジュラープラグＲＪ４５（６）を接続・挿入する挿入口（３）を設け、また箱状部の下側内部に磁石（４）を装着されているものである。【００１３】  図２、図３において両端にＬＡＮ用モジュラープラグＲＪ４５付ケーブル（５）のＬＡＮ用モジュラープラグＲＪ４５（６）が、本発明の挿入口（３）と結合装着する様子を示している。
【図面の簡単な説明】
【００１４】
【図１】  本発明の延長ＬＡＮケーブルの一例を示す説明図。
【図２】  本発明の延長ＬＡＮケーブルの実際に接続する説明を示す説明図。
【図３】  本発明に係る延長ＬＡＮケーブルを実際に使用し装着図。
【符号の説明】
１    ＬＡＮ用モジュラージャック
２    ＬＡＮケーブル
３    挿入口
４    磁石
５    他のＬＡＮ用モジュラープラグＲＪ４５付ケーブル
６    ＬＡＮ用モジュラープラグＲＪ４５
【図１】
2010003659.tif 000003
【図２】
2010003659.tif 000004
【図３】
2010003659.tif 000005
(57)【要約】      （修正有）【課題】電源コンセントの差込口に取り付けているプレートは、開口タイプであるため、コンセント差込口が常に開口されており、小児等が異物を混入する等で事故になるケースがあるため、コンセント用安全プレートにスライド式扉を設けることにより、必要に応じて開閉可能となり、安全にコンセントが使用できる。また、コンセント用安全プレートに設けられたスライド式扉は、コンセント用安全プレートと平面に保てる為、インテリア的にも有効に利用できる。現在のコンセント用プレートは常時開口タイプであり、コンセント差込口が開口されているため、安全面に問題がある。【解決手段】コンセント用安全プレート１に開閉可能なスライド式扉２を設けることにより、必要に応じてコンセントを使用することが出来る。【選択図】図１
2010003658.tif 000002
【特許請求の範囲】
【請求項１】
コンセント用安全プレートに開閉可能なスライド式扉を設けた。
【請求項２】
コンセント用安全プレートに設けたスライド式扉を開口した場合、電源コンセントを差込みできるようにした。
【請求項３】
コンセント用安全プレートに設けたスライド式扉は、１動作では開かず、２動作で開口できるようにし、安全かつ便利に使用できるものとした。
【請求項４】
コンセント用安全プレートに設けたスライド式扉は、閉口時には、テンションプレートによりコンセント用安全プレートと平面に保てる。
【発明の詳細な説明】
【技術分野】
【０００１】この発明は、コンセント用安全プレートに安全面かつ便利さを考慮し、開閉可能なスライド式扉を設けたものである。【０００２】コンセント差込口の１口用、２口用でも有効である。
【背景技術】
【０００３】電源コンセントの差込口に取り付けているプレートは、常に開口タイプであるため、コンセント差込口に、小児等が異物を混入する等で事故になるケースがあるため、安全ガード等を別途用意し取付けている。【０００４】従来のコンセント用プレートでは、コンセント差込口が開口されているため、インテリア的にも制限がある。
【発明の開示】
【発明が解決しようとする課題】
【０００５】コンセント用安全プレートに開閉可能な扉を設けることにより、コンセント未使用時に異物混入などによる事故を防止出来る。【０００６】コンセント未使用時にプレートが閉口していることにより、コンセント差込口が常に開口しているという従来の常識を一変することにより、インテリア的な観点からも非常に有効に応用できる。
【課題を解決するための手段】
【０００７】コンセント用安全プレートに小児等が簡単に作動できない、２動作で開口できるスライド式扉を設ける。【０００８】コンセント用安全プレートに設ける扉は、プレート本体と同一の素材にし、閉口時にはプレート全面が平面になるようにする。
【発明の効果】
【０００９】コンセント未使用時にコンセント用安全プレートが閉口していることにより、異物混入を防ぐことができ、非常に安全性を保てる。【００１０】コンセント未使用時にコンセント用安全プレートが閉口していることにより、インテリア的にも非常に有効に応用できる。
【実施例１】
【００１１】スライド式扉は、図１の３‘押し込みポイント’を押し、図１の４‘取っ手’を引く、２動作で開口できる。【００１２】スライド式扉は、図１の４‘取っ手’を引くことで、簡単に閉口できる。【００１３】コンセント用安全プレート及びスライド式扉は、図２の５‘テンションプレート’を設けることにより、図２  Ａ断面図のように、平面に保たれる。
【図面の簡単な説明】
【００１４】
【図１】コンセント用安全プレートの正面図である。
【図２】コンセント用安全プレートのＡ断面図である。
【図３】コンセント用安全プレートの裏面図である。
【図４】コンセント用安全プレートのＢ断面図である。
【符号の説明】
【００１５】１  コンセント用安全プレート
２  スライド式扉
３  押し込みポイント
４  取っ手
５  テンションプレート
６  スライド式扉格納溝
７  スライド式扉ガイド
【図１】
2010003658.tif 000003
【図２】
2010003658.tif 000004
【図３】
2010003658.tif 000005
【図４】
2010003658.tif 000006
(57)【要約】【課題】  ５本の電熱線（タングステン）１５ｃｍの長さ（直径５ｍｍ）  ２０００ｗ（ワット）ずつ、２５００度可能  試料はモリブデンボートを使う【解決手段】  参考例  炭素ダイヤモンドの製造【特許請求の範囲】
【請求項１】
赤外電気炉
【発明の詳細な説明】
【技術分野】
【０００１】  電機温度調節器
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
(57)【要約】【課題】画鋲の使用現場での安全性の向上。たとえば、抜け落ちた画鋲による不慮の事故の予防、あるいは、脱落に対する不安感の軽減等を実現する為の“画鋲落下防止シール”を提供する。【解決手段】抜けた画鋲が落下しないように、画鋲を掲示物そのものにつなぎ止める手段を講じる。この発明品は３つの部分より成る。すなわち、掲示物に貼り付ける部分▲１▼、画鋲を取り付ける部分▲２▼、そして、その両者（▲１▼と▲２▼）をつなぐ部分▲３▼である。この発明品により画鋲は掲示物に間接的に接続されることになる。【選択図】図１
2010023471.tif 000002
【特許請求の範囲】
【請求項１】
画鋲を掲示物に間接的に接続する構造を持ち、掲示物を止めていた画鋲が万一外れても、それが床等に落下するのを防ぐことを目的としたシール
【発明の詳細な説明】
【産業上の利用分野】
【０００１】画鋲の関連用品として文房具の分野で利用する。
【背景技術】
【０００２】床に落ちた画鋲を踏みつけて痛い思いをした人は少なくないだろう。
床に落ちた画鋲による幼い子供の不慮の事故は、想像しただけで痛ましい。
落下した画鋲は凶器になりかねない。その落下を防止する何らかの対策が取られて然るべきではないか。
【発明が解決しようとする課題】
【０００３】床に落ちた画鋲による不慮の事故の防止、あるいは、脱落することに対する不安を取り除く為に、画鋲が外れても落ちないようにする為の具体的方法を提供する。
【課題を解決するための手段】
【０００４】抜けた画鋲が落下しないように、画鋲を掲示物そのものに繋ぎ止める手段を講じる。この発明品は３つの部分より構成される。すなわち、掲示物に貼り付ける部分▲１▼、画鋲を取り付ける部分▲２▼、そして、その両者（▲１▼と▲２▼）を繋ぐ部分▲３▼である。この発明品により画鋲は掲示物に間接的に接続されることになる。
【発明を実施するための最良の形態】
【０００５】この発明品は画鋲が抜けても落下しないようにする為のものであり、画鋲を間接的に掲示物に繋ぐ文房具である。それは３つの部分より構成される。
すなわち、掲示物に貼り付ける部分▲１▼、画鋲を取り付ける部分▲２▼、そして、その両者（▲１▼と▲２▼）を繋ぐ部分▲３▼である。▲１▼については、花の形とか、鳥の形とか、幾何学的模様とか、いろいろなデザインを凝らすことができ、シールのように掲示物に貼り付ける事ができる様にしておく。▲２▼は画鋲を刺す事ができる程度の小さな薄い円盤とし、▲３▼はテグス（釣り糸）の様なもので作る。▲１▼と▲２▼の基材としては、たとえば、プラスチック、ビニール、厚手の紙のようなものが考えられる。
【発明の効果】
【０００６】画鋲の使用現場での安全性及び安心感の向上。たとえば、抜け落ちた画鋲による不慮の事故の予防、あるいは、脱落に対する不安感の軽減。
【図面の簡単な説明】
【図１】本発明のイラストである。
【符号の説明】
▲１▼掲示物に貼り付ける部分（シール）
▲２▼画鋲を取り付ける部分（画鋲を刺す部分）
▲３▼両者（▲１▼と▲２▼）をつなぐ部分
▲４▼画鋲
【図１】
2010023471.tif 000003
(57)【要約】【課題】  集計表を次の新しいページに繰越す時にページ毎に必ず１欄の見出しが必要、手間がかかる。そんな面倒をなくすために集計表のカバーの端部分に折り見出しを設け、どのパージでもこの見出しを共用することができる。それに、使い残った集計表のページを最後まで使い切るために各ページの端部分にも折り見出しを設け、どのページからでも新しい項目の集計表として始まれる折り見出し付き集計表を提供する。【解決手段】  集計表のカバー（１）と各ページ（２）丈夫で薄くて粘着力が弱い再剥離のできる折り見出し（３）を設けた折り見出し付き集計表を特徴とする。【選択図】図１
2010023475.tif 000002
【特許請求の範囲】
【請求項１】
集計表のカバー（１）と各ページ（２）の端部分に折り見出し（３）を設けた集計表。
【発明の詳細な説明】
【技術分野】
【０００１】この発明は、集計表のカバーと各パージの端部分に折り見出しを設ける折り見出し付き集計表に関するものである。
【背景技術】
【０００２】従来，集計表のカバーと各ページに折り見出しがなかった。
【発明の開示】
【発明が解決しようとする課題】
【０００３】これは次のような欠点があった。  （イ）従来、集計表の各パージに１欄の見出しを書かなければならないので手間がかかる。  （ロ）従来、１冊の集計表をまだ使い終わらない部分を他の項目に使いたい時に手作りの見出しを張ったりしなければならないので面倒です。
【課題を解決すための手段】
【０００４】集計表のカバー（１）と各ページ（２）の端部分（３）に折り見出しを設け見出しが必要な時端に付いている折り見出しをはがしめくったらすぐに使える。
【発明の効果】
【０００５】これは、次の効果があった。  （イ）集計表のカバーに折り見出しが付いているので、それをめくれば総見出しとして使える、見出しの項目を１回書くだけで済む事ができる。  （ロ）使いおわらない集計表のページについている折り見出しをめくればまた新しい集計表として使える。環境にやさしく経済的だ。
【発明を実施するための最良の形態】
【０００６】以下、本発明を実施するための最良的形態について説明する。集計表冊のカバー（１）と各ページ（２）丈夫で薄くて粘着力弱い再剥離のできる折り見出しを設ける。本発明は、以上のような構造である。これを使用するときに軽くはがしめくればすぐ使える。使いたいページだけをめくればいい、使わない部分をそのままめくらなければ一般の集計表として使用する。
【図面の簡単な説明】
【０００７】【図１】本発明を使う時の平面図である。
【図２】本発明を使わない時の平面図である。
【図３】本発明の断面図である。
【図４】本発明の正面図である。
【符号の説明】
【０００８】１  集計表のカバー２  集計表の各ページ３  折り見出し
【図１】
2010023475.tif 000003
【図２】
2010023475.tif 000004
【図３】
2010023475.tif 000005
【図４】
2010023475.tif 000006